(57)【要約】【課題】自動的に投影を開始すると共に、無駄なブランク映像の投影を防止する。【解決手段】本開示の一態様にかかる映像投影装置（１００）は、投影を開始する開始時刻を記憶する記憶手段（１０３）と、開始時刻になった場合に、映像出力装置（２００）を制御する第１の制御手段（１０３）と、第１の制御手段（１０３）により映像出力装置（２００）を制御し、映像出力装置（２００）が想定通りの所定の動作を行っている場合に、光源ランプ（１０６）を点灯し、映像出力装置（２００）から入力された映像の投影を開始する第２の制御手段（１０５）と、を有する。【選択図】図２
2015022183.tif 000002
【特許請求の範囲】
【請求項１】
映像出力装置から入力された映像を投影する映像投影装置であって、
投影を開始する開始時刻を記憶する記憶手段と、
前記開始時刻になった場合に、前記映像出力装置を制御する第１の制御手段と、
前記第１の制御手段により前記映像出力装置を制御し、前記映像出力装置が想定通りの所定の動作を行っている場合に、光源ランプを点灯し、前記映像出力装置から入力された映像の投影を開始する第２の制御手段と、を有することを特徴とする映像投影装置。
【請求項２】
前記映像出力装置から入力された映像を検出する検出手段を有し、
前記第１の制御手段は、前記検出手段が前記映像を検出した場合に、前記映像出力装置が想定通りの所定の動作を行っていると判断し、
前記第２の制御手段は、前記光源ランプを点灯する、ことを特徴とする請求項１記載の映像投影装置。
【請求項３】
前記第１の制御手段は、前記映像出力装置が想定通りの所定の動作を行っている場合に、電源部から前記第２の制御手段に電力を供給し、
前記第２の制御手段は、前記電源部から電力が供給された場合に起動し、前記光源ランプを点灯する、ことを特徴とする請求項１または請求項２記載の映像投影装置。
【請求項４】
前記第１の制御手段は、前記開始時刻になった場合に、前記電源部から前記検出手段に電力を供給し、
前記検出手段は、前記電源部から電力が供給された場合に起動し、前記映像の検出を開始する、ことを特徴とする請求項３記載の映像投影装置。
【請求項５】
前記第２の制御手段は、前記映像出力装置から入力された映像が所定の条件を満足する映像である場合に、前記光源ランプを点灯する、ことを特徴とする請求項１から請求項４の何れか１項に記載の映像投影装置。
【請求項６】
前記記憶手段は、投影を終了する終了時刻を前記開始時刻に対応付けて記憶しており、
前記第２の制御手段は、前記終了時刻になった場合に、前記光源ランプを消灯し、前記映像の投影を終了し、
前記第１の制御手段は、前記映像の投影が終了した場合に、前記電源部から前記第２の制御手段への電力の供給を停止する、ことを特徴とする請求項３から請求項５の何れか１項に記載の映像投影装置。
【請求項７】
前記記憶手段は、制御対象の映像出力装置の装置情報を前記開始時刻に対応付けて記憶しており、
前記第１の制御手段は、前記開示時刻になった場合に、前記開示時刻に対応付けられた前記装置情報を基に、制御対象の映像出力装置を制御する、ことを特徴とする請求項１から請求項６の何れか１項に記載の映像投影装置。
【請求項８】
映像出力装置から入力された映像を投影する映像投影装置のコンピュータに実行させるプログラムであって、
投影を開始する開始時刻を記憶する記憶手段に記憶された前記開始時刻になった場合に、前記映像出力装置を制御する第１の制御処理と、
前記第１の制御処理により前記映像出力装置を制御し、前記映像出力装置が想定通りの所定の動作を行っている場合に、光源ランプを点灯し、前記映像出力装置から入力された映像の投影を開始する第２の制御処理と、を前記コンピュータに実行させることを特徴とするプログラム。
【発明の詳細な説明】
【技術分野】
【０００１】
本開示は、映像を投影するプロジェクタ等の映像投影装置の技術に関する。
【背景技術】
【０００２】
従来から、光源ランプを点灯し、スクリーン等に映像を投影するプロジェクタ等の映像投影装置がある。
【０００３】
この種の映像投影装置は、映像出力装置と接続し、映像出力装置から入力された映像をスクリーン等に投影している。映像出力装置は、映像投影装置と接続し、映像投影装置に映像を出力することが可能な装置であり、パーソナルコンピュータやビデオカメラ等の装置が挙げられる。
【０００４】
しかし、上記の映像投影装置は、操作者が映像投影装置を操作して映像出力装置から入力された映像の投影を開始するため、投影を開始するのに人手操作を介在させる必要がある。また、人手操作で投影を開始しても、映像出力装置が想定通りの所定の動作を行い、映像出力装置から所望の映像を受け付けるまでは、スクリーン等に所望の映像が映らず、無駄なブランク映像をスクリーン等に投影してしまうことになる。ブランク映像とは、映像出力装置から入力される所望の映像がスクリーン等に投影されていない状態の映像を意味し、真っ白な映像、真っ黒な映像などを意味する。このため、映像投影装置で無駄なブランク映像を投影している間は、映像投影装置で無駄に電力を消費していることになる。このようなことから、自動的に投影を開始すると共に、無駄なブランク映像の投影を防止することが可能な映像投影装置が必要視されている。
【０００５】
なお、本発明より先に出願された技術文献として、特許文献１（特開2007-178635号公報）には、プロジェクタが、ランプの点灯時間と消灯時間とが組み合わされてなるタイムテーブルに基づき、ランプの点灯と消灯とを切り替え、スクリーンに映像を表示することと、非表示とすることとを切り替える点について開示されている。
【発明の概要】
【発明が解決しようとする課題】
【０００６】
特許文献１に開示された技術は、プロジェクタで自動的に投影を開始することができる。しかし、特許文献１に開示された技術であっても、プロジェクタと接続された映像出力装置が想定通りの所定の動作を行い、映像出力装置から所望の映像をプロジェクタが受け付けるまでは、スクリーンに所望の映像が映らず、無駄なブランク映像を投影してしまうことになる。
【０００７】
本開示の目的は、自動的に投影を開始すると共に、無駄なブランク映像の投影を防止することにある。ブランク映像とは、映像出力装置から入力される所望の映像がスクリーン等に投影されていない状態の映像を意味し、真っ白な映像、真っ黒な映像などを意味する。
【課題を解決するための手段】
【０００８】
本開示の一態様にかかる映像投影装置は、
映像出力装置から入力された映像を投影する映像投影装置であって、
投影を開始する開始時刻を記憶する記憶手段と、
前記開始時刻になった場合に、前記映像出力装置を制御する第１の制御手段と、
前記第１の制御手段により前記映像出力装置を制御し、前記映像出力装置が想定通りの所定の動作を行っている場合に、光源ランプを点灯し、前記映像出力装置から入力された映像の投影を開始する第２の制御手段と、を有することを特徴とする。
【発明の効果】
【０００９】
本開示の一態様によれば、自動的に投影を開始すると共に、無駄なブランク映像の投影を防止することができる。
【図面の簡単な説明】
【００１０】
【図１】本実施形態の映像投影システムのシステム構成例を示す図である。
【図２】映像投影装置の構成例を示す図である。
【図３】映像投影装置の処理動作例を示す図である。
【図４】映像投影装置に記憶される情報例を示す図である。
【発明を実施するための形態】
【００１１】
（本開示の一態様にかかる映像投影装置の実施形態の概要）
まず、図２を参照しながら、本開示の一態様にかかる映像投影装置の実施形態の概要について説明する。図２は、本開示の一態様にかかる映像投影装置の構成例を示す図である。
【００１２】
本開示の一態様にかかる映像投影装置１００は、映像出力装置２００から入力された映像を投影する映像投影装置１００である。
【００１３】
本開示の一態様にかかる映像投影装置１００は、記憶手段、第１の制御手段、第２の制御手段を有して構成する。
【００１４】
記憶手段は、投影を開始する開始時刻を記憶する。記憶手段としては、例えば、電源制御部１０３が機能する。
【００１５】
第１の制御手段は、開始時刻になった場合に、映像出力装置２００を制御する制御処理を行う。第１の制御手段は、例えば、電源制御部１０３が機能する。
【００１６】
第２の制御手段は、第１の制御手段により映像出力装置２００を制御し、映像出力装置２００が想定通りの所定の動作を行っている場合に、光源ランプ１０６を点灯し、映像出力装置２００から入力された映像の投影を開始する制御処理を行う。第２の制御手段は、投影制御部１０５が機能する。
【００１７】
本開示の一態様にかかる映像投影装置１００は、開始時刻になった場合に、映像出力装置２００を制御する。そして、映像出力装置２００が想定通りの所定の動作を行っている場合に、光源ランプ１０６を点灯し、映像出力装置２００から入力された映像の投影を開始する。これにより、自動的に投影を開始すると共に、無駄なブランク映像の投影を防止することができる。以下、添付図面を参照しながら、本開示の一態様にかかる映像投影装置１００について詳細に説明する。なお、以下の実施形態では、映像投影装置１００と映像出力装置２００とを有する映像投影システムを例に説明する。
【００１８】
＜映像投影システムの構成例＞
まず、図１を参照しながら、本実施形態の映像投影システムのシステム構成例について説明する。図１は、映像投影システムのシステム構成例を示す図である。
【００１９】
本実施形態の映像投影システムは、映像投影装置１００と、映像出力装置２００と、を有して構成する。
【００２０】
映像出力装置２００は、映像信号を映像投影装置１００に出力する装置である。映像出力装置２００としては、パーソナルコンピュータやビデオカメラ等の装置が挙げられる。また、ＵＳＢメモリなどのトングル型の小型装置が挙げられる。映像出力装置２００は、映像投影装置１００に映像信号を出力することが可能な装置であればあらゆる装置が適用可能である。
【００２１】
映像投影装置１００は、映像出力装置２００から入力された映像信号をスクリーン等に投影する装置である。映像投影装置１００としては、プロジェクタ等の装置が挙げられる。
【００２２】
図１に示す映像投影システムは、映像投影装置１００と映像出力装置２００とがＵＳＢ（Universal Serial Bus）等やＨＤＭＩ（High Definition Multimedia Interface）（登録商標）等で接続している。
【００２３】
本実施形態の映像投影装置１００は、ＵＳＢ等を経由して映像出力装置２００に電力を供給する。映像出力装置２００は、映像投影装置１００から供給された電力を基に起動し、予め設定された所定の動作を行い、映像出力装置２００から予め設定された所望の映像信号をＨＤＭＩ等を経由して映像投影装置１００に出力する。映像投影装置１００は、映像出力装置２００に電力を供給した後に、映像出力装置２００が想定通りの所定の動作を行い、映像出力装置２００から所望の映像信号を受け付けた場合に、光源ランプを点灯する。そして、映像投影装置１００は、映像出力装置２００から受け付けた所望の映像信号をスクリーン等に投影する。
【００２４】
本実施形態の映像投影システムは、映像出力装置２００から映像投影装置１００に所望の映像信号を出力し、映像投影装置１００は、映像出力装置２００から入力された所望の映像信号を投影することが可能な構成であればあらゆる接続構成が適用可能である。
【００２５】
＜映像投影装置１００の構成例＞
次に、図２を参照しながら、本実施形態の映像投影装置１００の構成例について説明する。図２は、本実施形態の映像投影装置１００の構成例を示す図である。
【００２６】
本実施形態の映像投影装置１００は、電源部１０１、ＲＴＣ（Real Time Clock）１０２、電源制御部１０３、入力検出部１０４、投影制御部１０５、光源ランプ１０６を有している。また、第１スイッチ１１０、第２スイッチ１１１、第３スイッチ１１２を有している。
【００２７】
電源部１０１は、電力を供給する供給源である。電源部１０１は、ＡＣアダプタやバッテリなどが挙げられる。電源部１０１の電力は、映像出力装置２００、ＲＴＣ１０２、電源制御部１０３、入力検出部１０４、投影制御部１０５、光源ランプ１０６などに供給される。
【００２８】
ＲＴＣ１０２は、時計専用のチップであり、映像投影装置１００の電源が切られている間も内蔵電池から電力供給を受けて常時動作する。ＲＴＣ１０２は、電源部１０１から電力供給を受けて動作することも可能である。
【００２９】
電源制御部１０３は、映像投影装置１００の電源を制御する専用のチップである。電源制御部１０３は、電源部１０１から電力供給を受けて常時動作する。
【００３０】
入力検出部１０４は、電源部１０１から電力が供給されて起動すると、映像出力装置２００から映像信号が入力されたか否かの検出確認を開始する。入力検出部１０４は、映像信号が入力されたのを検出すると、映像信号が入力された旨の検出信号を電源制御部１０３に出力する。
【００３１】
投影制御部１０５は、電源部１０１から電力が供給されて起動すると、光源ランプ１０６の点灯を開始し、映像出力装置２００から入力された映像信号の投影を開始する。
【００３２】
光源ランプ１０６は、高輝度の光を出射する。投影制御部１０５が光源ランプ１０６を点灯することで、映像出力装置２００から入力された映像信号がスクリーン等に投影されることになる。また、投影制御部１０５が光源ランプ１０６を消灯することで、映像信号がスクリーン等に投影されなくなる。
【００３３】
第１スイッチ１１０は、電源部１０１の電力を映像出力装置２００に供給するか否かを切り替える。第１スイッチ１１０がオンの場合は、電源部１０１の電力が映像出力装置２００に供給される。第１スイッチ１１０がオフの場合は、電源部１０１の電力が映像出力装置２００に供給されなくなる。
【００３４】
第２スイッチ１１１は、電源部１０１の電力を入力検出部１０４に供給するか否かを切り替える。第２スイッチ１１１がオンの場合は、電源部１０１の電力が入力検出部１０４に供給される。第２スイッチ１１１がオフの場合は、電源部１０１の電力が入力検出部１０４に供給されなくなる。
【００３５】
第３スイッチ１１２は、電源部１０１の電力を投影制御部１０５や光源ランプ１０６に供給するか否かを切り替える。第３スイッチ１１２がオンの場合は、電源部１０１の電力が投影制御部１０５や光源ランプ１０６に供給される。第３スイッチ１１２がオフの場合は、電源部１０１の電力が投影制御部１０５や光源ランプ１０６に供給されなくなる。
【００３６】
＜映像投影装置１００の処理動作例＞
次に、図２、図３を参照しながら、本実施形態の映像投影装置１００の処理動作例について説明する。図３は、本実施形態の映像投影装置１００の処理動作例を示す図である。
【００３７】
電源制御部１０３は、ＲＴＣ１０２の時刻情報を確認し（ステップＳ１）、投影開始時刻になったか否かを判定する（ステップＳ２）。投影開始時刻は、例えば、電源制御部１０３に予め記憶される。なお、投影開示時刻に対応付けて投影終了時刻も電源制御部１０３に予め記憶される。投影開始時刻や投影終了時刻は、例えば、操作者が映像投影装置１００の操作部（図示せず）を操作して設定することができる。映像投影装置１００に投影開示時刻や投影終了時刻が設定されると、投影開始時刻と投影終了時刻とが対応付けられて電源制御部１０３に記憶される。
【００３８】
電源制御部１０３は、投影開始時刻になった場合に（ステップＳ２／Ｙｅｓ）、第１スイッチ１１０、第２スイッチ１１１をオンし、電源部１０１の第１の電力供給を開始する（ステップＳ３）。また、電源制御部１０３は、タイマカウントを開始する（ステップＳ４）。
【００３９】
電源部１０１の第１の電力供給が開始されると、電源部１０１の電力が第１スイッチ１１０を介して映像出力装置２００に供給される。映像出力装置２００は、電源部１０１から電力が供給されると起動し、映像出力装置２００に予め設定された所定の動作を行い、映像出力装置２００から所望の映像信号を映像投影装置１００に出力する。映像投影装置１００に出力する所望の映像信号は、映像出力装置２００に予め設定されている。または、映像投影装置１００からの制御により所望の映像信号を映像投影装置１００に出力する。
【００４０】
また、電源部１０１の第１の電力供給が開始されると、電源部１０１の電力が第２スイッチ１１１を介して入力検出部１０４に供給される。入力検出部１０４は、電源部１０１から電力が供給されると起動し、映像出力装置２００から映像信号が入力されたか否かの検出確認を開始する（ステップＳ５）。入力検出部１０４は、映像出力装置２００から映像信号が入力された場合は、映像信号が入力された旨の検出信号を電源制御部１０３に出力する。
【００４１】
電源制御部１０３は、入力検出部１０４から検出信号を受け付けた場合は、映像出力装置２００から映像信号が入力されたと判断する（ステップＳ６／Ｙｅｓ）。この場合、電源制御部１０３は、第３スイッチ１１２をオンし、電源部１０１の第２の電力供給を開始する（ステップＳ９）。電源部１０１の第２の電力供給が開始されると、電源部１０１の電力が第３スイッチ１１２を介して投影制御部１０５や光源ランプ１０６に供給される。投影制御部１０５は、電源部１０１から電力が供給されると起動し、光源ランプ１０６の点灯を開始し、映像出力装置２００から入力された映像信号の投影を開始する（ステップＳ１０）。
【００４２】
投影制御部１０５は、電源部１０１から電力が供給されて起動すると、ＲＴＣ１０２から時刻情報を取得し、投影制御部１０５自身が時刻の計時を開始する。また、投影制御部１０５は、電源制御部１０３から投影開始時刻に対応付けられた投影終了時刻を取得する。
【００４３】
電源制御部１０３は、タイマカウントが完了するまでの間に、入力検出部１０４から検出信号を受け付けなかった場合は、タイマカウントが完了するまでの間に映像出力装置２００から映像信号が入力されなかったと判断する（ステップＳ７／Ｙｅｓ）。この場合、電源制御部１０３は、第１スイッチ１１０、第２スイッチ１１１をオフし、電源部１０１の第１の電力供給を停止し（ステップＳ８）、処理を終了する（Ｅｎｄ）。電源部１０１の第１の電力供給を停止すると、映像出力装置２００や入力検出部１０４に電力が供給されなくなるため、映像出力装置２００や入力検出部１０４の動作が停止することになる。タイマカウントを開始してからタイマカウントが完了するまでの時間は任意に設定することが可能である。
【００４４】
投影制御部１０５は、ステップＳ１０で映像出力装置２００から入力された映像信号の投影を開始した後は、投影制御部１０５自身で計時する時刻情報を基に投影終了時刻になったか否かを判定する（ステップＳ１１）。
【００４５】
投影制御部１０５は、投影終了時刻になった場合（ステップＳ１１／Ｙｅｓ）、光源ランプ１０６を消灯し、投影を終了する（ステップＳ１２）。次に、投影制御部１０５は、電源制御部１０３に電力供給停止信号を出力する。電源制御部１０３は、電力供給停止信号を投影制御部１０５から受け付けた場合は、第１スイッチ１１０、第２スイッチ１１１、第３スイッチ１１２をオフし、電源部１０１の第１及び第２の電力供給を停止し（ステップＳ１３）、処理を終了する（Ｅｎｄ）。電源部１０１の第１の電力供給を停止すると、映像出力装置２００や入力検出部１０４に電力が供給されなくなるため、映像出力装置２００や入力検出部１０４の動作が停止することになる。また、電源部１０１の第２の電力供給を停止すると、投影制御部１０５や光源ランプ１０６に電力が供給されなくなるため、投影制御部１０５の動作が停止することになる。
【００４６】
＜本実施形態の映像投影装置１００の作用・効果＞
このように、本実施形態の映像投影装置１００は、投影開始時刻になった場合に（ステップＳ２／Ｙｅｓ）、第１の電力供給を開始し（ステップＳ３）、映像出力装置２００に電力を供給する。映像投影装置１００は、映像出力装置２００が想定通りの所定の動作を行い、映像出力装置２００から所望の映像信号を受け付けた場合に（ステップＳ６／Ｙｅｓ）、光源ランプ１０６を点灯し、映像信号の投影を開始する（ステップＳ１０）。これにより、本実施形態の映像投影装置１００は、自動的に投影を開始すると共に、無駄なブランク映像の投影を防止することができる。ブランク映像とは、映像出力装置２００から入力される所望の映像信号がスクリーン等に投影されていない状態の映像を意味し、真っ白な映像、真っ黒な映像などを意味する。
【００４７】
また、本実施形態の映像投影装置１００は、入力検出部１０４の電源系統と、投影制御部１０５や光源ランプ１０６への電源系統と、を分離している。そして、映像出力装置２００への電力供給と連動させて入力検出部１０４への電力供給を行い、入力検出部１０４を先に起動する。そして、映像出力装置２００から入力された映像信号を入力検出部１０４で検出した場合に、投影制御部１０５や光源ランプ１０６への電力供給を開始し、光源ランプ１０６を点灯し、映像出力装置２００から入力された映像信号の投影を開始している。これにより、映像出力装置２００から入力された映像信号を入力検出部１０４で検出した場合に、投影制御部１０５や光源ランプ１０６への電力供給を開始するため、映像投影装置１００の消費電力を低減することができる。また、映像出力装置２００から入力された映像信号を入力検出部１０４で検出した場合に、映像出力装置２００から入力された映像信号の投影を開始するため、無駄なブランク映像の投影を防止することができる。
【００４８】
なお、図３に示す処理動作例では、入力検出部１０４は、電源部１０１から電力が供給されると起動し、映像出力装置２００から映像信号が入力されたか否かの確認を開始している（ステップＳ５）。この場合、入力検出部１０４は、ステップＳ１０で投影を開始した後も映像信号の入力確認を行い、映像出力装置２００から入力される映像信号が途切れて検出できなくなった場合に、投影を中止するようにすることも可能である。この場合は、例えば、入力検出部１０４は、映像信号が検出できなくなった旨の不検出信号を投影制御部１０５に出力する。投影制御部１０５は、入力検出部１０４から不検出信号を受け付けた場合に、光源ランプ１０６を消灯し、投影を終了する。次に、投影制御部１０５は、電源制御部１０３に電力供給停止信号を出力する。電源制御部１０３は、電力供給停止信号を投影制御部１０５から受け付けた場合は、第１スイッチ１１０、第２スイッチ１１１、第３スイッチ１１２をオフし、電源部１０１の第１及び第２の電力供給を停止し、処理を終了する。これにより、入力検出部１０４で映像出力装置２００から入力される映像信号が途切れて検出できなくなった場合は、投影を中止するようにすることができる。
【００４９】
また、図３に示す処理動作例では、投影制御部１０５は、電源部１０１から電力が供給されると起動し、光源ランプ１０６の点灯を開始し、映像出力装置２００から入力された映像信号の投影を開始している（ステップＳ１０）。この場合、投影制御部１０５は、映像出力装置２００から入力された映像信号が予め設定された条件を満足する所望の映像信号であるか否かを判断する。そして、所望の映像信号である場合に、光源ランプ１０６の点灯を開始し、映像出力装置２００から入力された映像信号の投影を開始するようにすることも可能である。予め設定された条件としては、例えば、以下の条件が挙げられる。なお、以下の条件は、投影開始時刻、投影終了時刻と対応付けて記憶しておくことが好ましい。なお、上記では、投影開示時刻、投影終了時刻を電源制御部１０３に記憶することを例として説明した。しかし、投影開始時刻、投影終了時刻を記憶する箇所は特に限定せず、任意の箇所に記憶することが可能である。但し、電源制御部１０３、投影制御部１０５が参照できるようにする必要がある。
映像出力装置２００から入力された映像信号が動画であること。
映像信号が所望の解像度（例えば、フルハイビジョン画像）であること。
【００５０】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５１】
例えば、上述する実施形態では、映像投影装置１００は、投影開始時刻になった場合に、映像出力装置２００に電力を供給し、映像出力装置２００に想定通りの所定の動作を行わせるようにしている。しかし、映像投影装置１００が投影開始時刻になった場合に、映像出力装置２００を制御し、映像出力装置２００に想定通りの所定の動作を行わせることが可能であれば、電力供給以外の制御を行うことも可能である。例えば、映像出力装置２００側に電力供給源がある場合は、投影開始時刻になった場合に、映像投影装置１００が映像出力装置２００を制御して映像出力装置２００の電源をオンし、映像出力装置２００に想定通りの所定の動作を行わせる。そして、映像出力装置２００から所望の映像信号を映像投影装置１００に出力するようにすることも可能である。また、投影開始時刻になった場合に、映像出力装置２００を制御して映像出力装置２００に再生動作などの映像出力動作を行わせる。そして、映像出力装置２００から所望の映像信号を映像投影装置１００に出力するようにすることも可能である。
【００５２】
また、上述する実施形態では、映像投影装置１００と映像出力装置２００とが１対１で接続している場合を例に説明した。しかし、映像投影装置１００と映像出力装置２００とが多対多で接続する構成も可能である。
【００５３】
この場合は、図４に示すように、各映像投影装置１００が制御する制御対象の映像出力装置２００の装置情報を投影開始時刻と投影終了時刻と対応付けて各映像投影装置１００に記憶しておくことになる。装置情報は、制御対象の映像出力装置２００を特定するための情報である。これにより、各映像投影装置１００は、投影開始時刻になった場合に、その投影開始時刻に対応付けられた装置情報を基に、制御対象の映像出力装置２００を制御し、制御対象の映像出力装置２００から所望の映像信号を出力させるようにすることができる。この場合、制御対象の映像出力装置２００からどのような映像信号を出力するかを特定するための映像情報も投影開始時刻、投影終了時刻、装置情報と対応付けて映像投影装置１００に記憶することも可能である。映像情報は、制御対象の映像出力装置２００から出力させる映像信号を特定するための情報である。映像出力装置２００は、映像情報を映像投影装置１００から受け付けた場合に、その映像情報に対応する映像信号を映像投影装置１００に出力することになる。これにより、映像投影装置１００は、映像出力装置２００から所望の映像信号を受け付けることができる。
【００５４】
また、上述した本実施形態の映像投影装置１００における制御動作は、ハードウェア、または、ソフトウェア、あるいは、両者の複合構成を用いて実行することも可能である。
【００５５】
なお、ソフトウェアを用いて処理を実行する場合には、処理シーケンスを記録したプログラムを、専用のハードウェアに組込まれているコンピュータ内のメモリにインストールして実行させることが可能である。あるいは、各種処理が実行可能な汎用コンピュータ内のメモリにインストールして実行させることが可能である。
【００５６】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体が挙げられる。
【００５７】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００５８】
また、本実施形態における映像投影装置１００は、上記実施形態で説明した処理動作に従って時系列的に実行されるのみならず、処理を実行する装置の処理能力、あるいは、必要に応じて並列的にあるいは個別に実行するように構築することも可能である。
【００５９】
なお、本実施形態の映像投影装置１００は、投影開始時刻、投影終了時刻を基に自動的に投影を開始したり終了したりすることができるため、デジタルサイネージ等の用途に好適である。
【符号の説明】
【００６０】
１００    映像投影装置
２００    映像出力装置
１０１    電源部
１０２    ＲＴＣ
１０３    電源制御部
１０４    入力検出部
１０５    投影制御部
１０６    光源ランプ
１１０    第１スイッチ
１１１    第２スイッチ
１１２    第３スイッチ
【先行技術文献】
【特許文献】
【００６１】
【特許文献１】特開２００７−１７８６３５号公報
【図１】
2015022183.tif 000003
【図２】
2015022183.tif 000004
【図３】
2015022183.tif 000005
【図４】
2015022183.tif 000006